(57)【要約】【課題】挿入に係る作業性の向上を図ることが可能な差込形電線コネクタを提供する。【解決手段】差込形電線コネクタ１１は、バネ片２３と、複数の電線１２同士を導通する電線導通部２６と、これらを収容するケース部材１６とを備えている。差込形電線コネクタ１１は、バネ片２３と電線導通部２６との間に電線１２を挿入すると、バネ片２３によって電線１２が電線導通部２６に押し付けられる構造を有している。また、差込形電線コネクタ１１は、バネ片２３及び電線導通部２６と共にケース部材１６に収容されるバネ片押し上げ部材１５を更に備えている。このバネ片押し上げ部材１５は、電線１２の挿入前にバネ片２３の先端と電線導通部２６との間に介在するようになっている。バネ片押し上げ部材１５は、バネ片２３よりもコネクタ奥位置まで凹む側面視略コ字状の形状に形成されている。【選択図】図１
2010218792.tif 000002
【特許請求の範囲】
【請求項１】
バネ片と、複数の電線の導体同士を導通する電線導通部と、これらを収容するケース部材とを備え、前記バネ片と前記電線導通部との間に前記電線の導体を挿入すると、前記バネ片によって前記電線の導体が前記電線導通部に押し付けられる構造の差込形電線コネクタにおいて、
前記バネ片及び前記電線導通部と共に前記ケース部材に収容されるバネ片押し上げ部材を更に備えるものとし、
該バネ片押し上げ部材は、前記電線の導体の挿入前に前記バネ片を撓ませこれを押し上げて予め前記バネ片の先端と前記電線導通部との間隔を広げておける形状、且つ、前記バネ片の押し上げ状態において該バネ片よりも奥位置まで前記電線の導体の挿入を許容する形状、且つ、前記電線の導体先端で所定長さ分だけ押し込まれると前記バネ片の押し上げ状態の解除がなされる形状、に形成される
ことを特徴とする差込形電線コネクタ。
【請求項２】
請求項１に記載の差込形電線コネクタにおいて、
前記バネ片押し上げ部材は、前記バネ片の押し上げ状態が解除されるまでの間、前記バネ片と前記電線の導体との間に介在する介在部を有する
ことを特徴とする差込形電線コネクタ。
【請求項３】
請求項１又は請求項２に記載の差込形電線コネクタにおいて、
前記ケース部材は、前記バネ片押し上げ部材の押し込み移動量を規制する移動量規制部を有する
ことを特徴とする差込形電線コネクタ。
【請求項４】
請求項３に記載の差込形電線コネクタにおいて、
前記ケース部材は、一部又は全部が透明な樹脂部品である
ことを特徴とする差込形電線コネクタ。
【発明の詳細な説明】
【技術分野】
【０００１】
本発明は、主に住宅用屋内配線ケーブルの接続部材として使用される差込形電線コネクタに関する。
【背景技術】
【０００２】
図７において、従来の差込形電線コネクタは、一対のバネ片１と、二本の電線２同士を導通する電線導通部３と、これらを収容する図示しないケース部材とを備えて構成されている（例えば下記特許文献１参照）。差込形電線コネクタは、バネ片１と電線導通部３との間に電線２の導体４を各々挿入すると、バネ片１によって導体４を電線導通部３に押し付けることができるようになっている。また、バネ片１の先端によって導体４を抜け止め係止することができるようになっている。
【先行技術文献】
【特許文献】
【０００３】
【特許文献１】特開２００１−１７６５７６号公報
【発明の概要】
【発明が解決しようとする課題】
【０００４】
ところで、上記従来技術にあっては、電線２の導体４がバネ片１に接触してから接続が完了するまでの間、言い換えれば、差込形電線コネクタ内部の所定位置まで電線２の導体４が挿入されるまでの間、導体４はバネ片１の反力を受け続けることになる。従って、作業者は比較的大きな力を掛け続けながら電線２を挿入しなければならず、容易に挿入することができないことから、作業性に影響を来してしまうという問題点を有している。尚、挿入不具合の要因の一つに、電線挿入力が大きいということが知られている。
【０００５】
本発明は、上記した事情に鑑みてなされたもので、挿入に係る作業性の向上を図ることが可能な差込形電線コネクタを提供することを課題とする。
【課題を解決するための手段】
【０００６】
上記課題を解決するためになされた請求項１記載の本発明の差込形電線コネクタは、バネ片と、複数の電線の導体同士を導通する電線導通部と、これらを収容するケース部材とを備え、前記バネ片と前記電線導通部との間に前記電線の導体を挿入すると、前記バネ片によって前記電線の導体が前記電線導通部に押し付けられる構造の差込形電線コネクタにおいて、前記バネ片及び前記電線導通部と共に前記ケース部材に収容されるバネ片押し上げ部材を更に備えるものとし、該バネ片押し上げ部材は、前記電線の導体の挿入前に前記バネ片を撓ませこれを押し上げて予め前記バネ片の先端と前記電線導通部との間隔を広げておける形状、且つ、前記バネ片の押し上げ状態において該バネ片よりも奥位置まで前記電線の導体の挿入を許容する形状、且つ、前記電線の導体先端で所定長さ分だけ押し込まれると前記バネ片の押し上げ状態の解除がなされる形状、に形成されることを特徴としている。
【０００７】
このような特徴を有する本発明によれば、電線の先端がバネ片押し上げ部材に当接するまでの間、電線はバネ片からの反力を受けることなく挿入される。電線の先端がバネ片押し上げ部材に当接するのは、導体がバネ片よりも奥位置まで挿入された時であることから、バネ片よりも奥に挿入された長さ分だけ、バネ片からの反力を受けずに電線の挿入作業を行うことが可能になる。
【０００８】
請求項２記載の本発明の差込形電線コネクタは、請求項１に記載の差込形電線コネクタにおいて、前記バネ片押し上げ部材は、前記バネ片の押し上げ状態が解除されるまでの間、前記バネ片と前記電線の導体との間に介在する介在部を有することを特徴としている。
【０００９】
このような特徴を有する本発明によれば、バネ片の押し上げ状態が解除されると、バネ片は電線の導体に衝突する。この時、例えばパチンという衝撃音がするので、電線の挿入が行われていることを作業者に聴覚的に分からせることが可能になる。上記衝撃音の大きさは、介在部の肉厚を調整すればよい。
【００１０】
請求項３記載の本発明の差込形電線コネクタは、請求項１又は請求項２に記載の差込形電線コネクタにおいて、前記ケース部材は、前記バネ片押し上げ部材の押し込み移動量を規制する移動量規制部を有することを特徴としている。
【００１１】
このような特徴を有する本発明によれば、電線によって押し込まれたバネ片押し上げ部材は、コネクタ内部の所定位置、すなわち移動量規制部の位置で止まる。バネ片押し上げ部材は、電線によって移動量規制部に押さえつけられた状態で固定される。
【００１２】
請求項４記載の本発明の差込形電線コネクタは、請求項３に記載の差込形電線コネクタにおいて、前記ケース部材は、一部又は全部が透明な樹脂部品であることを特徴としている。
【００１３】
このような特徴を有する本発明によれば、電線の導体がバネ片によって押し付けられている状態や、コネクタ内部の所定位置まで電線の導体が挿入されている状態を作業者に対して視覚的に分からせることが可能になる。
【発明の効果】
【００１４】
請求項１に記載された本発明によれば、バネ片押し上げ部材を備えることから、電線挿入時のバネ片からの反力を受ける範囲を従来よりも短くすることができるという効果を奏する。従って、作業性の向上を図ることができるという効果を奏する。また、バネ片押し上げ部材を備えることにより、挿入不具合の低減を図ることができるという効果も奏する。
【００１５】
請求項２に記載された本発明によれば、電線の挿入が確実に行われていることを聴覚的に作業者に分からせることができるという効果を奏する。従って、挿入不具合の低減を図ることができるという効果を奏する。
【００１６】
請求項３に記載された本発明によれば、バネ片押し上げ部材の押し込み移動量を規制することから、バネ片押し上げ部材が止まるまで押し込みをすれば、コネクタ内部の所定位置まで電線を挿入することができるという効果を奏する。従って、挿入不具合の低減を図ることができるという効果を奏する。また、本発明によれば、電線と移動量規制部との間にバネ片押し上げ部材を挟み込んでこれを固定することができるという効果を奏する。従って、コネクタ内部でのバネ片押し上げ部材の位置を安定させることができるという効果を奏する。
【００１７】
請求項４に記載された本発明によれば、電線の挿入状態等を視覚的に作業者に分からせることができるという効果を奏する。従って、挿入不具合の低減を図ることができるという効果を奏する。
【図面の簡単な説明】
【００１８】
【図１】本発明の差込形電線コネクタを示す図であり、（ａ）は電線挿入作業の途中状態を示す断面図、（ｂ）は電線挿入作業の完了状態を示す断面図である。
【図２】差込形電線コネクタを示す図であり、（ａ）は電線挿入作業を行う前の状態を示す斜視図、（ｂ）は（ａ）の断面図である（ケース本体に収容された部分を便宜上、実線で示す）。
【図３】差込形電線コネクタの各構成部材の図であり、（ａ）はバネ部材の斜視図、（ｂ）は電線導通部材の斜視図、（ｃ）バネ片押し上げ部材の斜視図、（ｄ）はケース部材の斜視図である（ケース本体に収容された部分を便宜上、実線で示す）。
【図４】電線挿入作業の途中状態を示す断面図である。
【図５】電線挿入作業の完了状態を示す断面図である。
【図６】バネ片からの反力を受ける範囲に係る説明図であり、（ａ）は電線挿入作業の途中状態を示す断面図、（ｂ）は比較例の断面図である。
【図７】従来例の差込形電線コネクタの要部を示す斜視図である。
【発明を実施するための形態】
【００１９】
差込形電線コネクタは、バネ片と、複数の電線の導体同士を導通する電線導通部と、これらを収容するケース部材とを備えている。差込形電線コネクタは、バネ片と電線導通部との間に電線の導体を挿入すると、バネ片によって電線の導体が電線導通部に押し付けられる構造を有している。また、差込形電線コネクタは、バネ片及び電線導通部と共にケース部材に収容されるバネ片押し上げ部材を更に備えている。このバネ片押し上げ部材は、電線の挿入前にバネ片の先端と電線導通部との間に介在するようになっている。バネ片押し上げ部材は、バネ片よりもコネクタ奥位置まで凹む側面視略コ字状の形状に形成されている。
【実施例】
【００２０】
以下、図面を参照しながら実施例を説明する。図１及び図２は本発明の差込形電線コネクタを示す図である。また、図３は差込形電線コネクタの各構成部材の図である。さらに、図４は電線挿入作業の途中状態を示す断面図、図５は電線挿入作業の完了状態を示す断面図、図６はバネ片からの反力を受ける範囲に係る説明図である。
【００２１】
図１及び図２において、本発明の差込形電線コネクタ１１は、主に住宅用屋内配線ケーブル（本明細書では電線１２とする）の接続部材として使用されるものであって、バネ部材１３と、電線導通部材１４と、バネ片押し上げ部材１５と、ケース部材１６とを備えて構成されている。本発明の差込形電線コネクタ１１は、バネ片押し上げ部材１５を備えており、電線１２の挿入作業性を従来よりも向上させることができるようになっている。先ず、上記構成部材について説明する（矢印Ｐを上下方向、矢印Ｑを前後方向、矢印Ｒを左右方向と定義する）。
【００２２】
電線１２は、例えば直径１ｍｍ〜２ｍｍの比較的太い単線導体１７（導体）と、この単線導体１７を被覆する被覆部１８とを備えて構成されている。電線１２は、公知のものが用いられている。電線１２は、この端末において、単線導体１７が所定の長さで露出するように加工されている。
【００２３】
図１ないし図３において、バネ部材１３は、例えばステンレス等のバネ特性に優れた金属製の部材であって、金属板を打ち抜き折り曲げ加工することにより図示のような形状に形成されている（形状は一例であるものとする）。バネ部材１３は、平行な上壁１９及び下壁２０と、平行な前壁２１及び後壁２２とを有する箱形の形状に形成されている（左右の壁は存在しない形状に形成されている。図３（ａ）参照）。
【００２４】
上壁１９には、左右方向に並ぶ一対のバネ片２３が形成されている。バネ片２３は、短冊状の部分を内側に折り曲げて形成されている。バネ片２３は、この基端部分が後壁２２側に位置し、ここから斜め下方向へのびるように形成されている。バネ片２３は、可撓性を有しており、撓んだ状態においては所定の反力（元の状態に戻ろうとする力）が生じるようになっている。バネ片２３は、撓みのない状態において、この先端位置と下壁２０との間隔が、単線導体１７の直径と電線導通部材１４の肉厚との和よりも短くなるように形成されている。
【００２５】
尚、本実施例では、二本の電線１２を導通接続するようにしているため、バネ片２３の数は二つとなっている。バネ片２３の数は、電線１２の接続数に合わせて決まるようになっている。
【００２６】
後壁２２には、電線１２の単線導体１７を挿通するための一対の円形挿通孔２４が形成されている。前壁２１には、バネ片押し上げ部材１５をバネ部材１３の内側から外側へ突出自在にするための一対の矩形貫通孔２５が形成されている。下壁２０は、内外とも平坦な面に形成されている。
【００２７】
電線導通部材１４は、良導電性の略板状の部材であって、電線１２の単線導体１７同士を導通する電線導通部２６を有している。電線導通部２６は、単線導体１７に対する接触面積を極力大きくとれるようにするため、図３（ｂ）に示すような略波形の形状に形成されている。電線導通部材１４は、所定の肉厚を有するように形成されている。電線導通部材１４は、バネ部材１３の下壁２０に載置することができる形状に形成されている。電線導通部材１４は、下壁２０に載置されると、この後端面が後壁２２に当接するようになっている。電線導通部材１４の前端面には、バネ片押し上げ部材１５の一部が当接するようになっている（バネ片押し上げ部材１５の後方への移動を規制することができるようになっている）。
【００２８】
尚、上記のような電線導通部材１４を備えない場合には、バネ部材１３の下壁２０を電線導通部として機能させることができるものとする。
【００２９】
バネ片押し上げ部材１５は、例えばポリカーボネート等の樹脂部品であって、電線１２の挿入前にバネ片２３の先端と電線導通部２６との間に介在するように形成されている。また、バネ片押し上げ部材１５は、バネ片２３よりもコネクタ奥位置まで凹む側面視略コ字状となる形状に形成されている。もう少し具体的に説明すると、以下のような部材となっている。
【００３０】
バネ片押し上げ部材１５は、電線１２の単線導体１７の挿入前にバネ片２３を撓ませてこれを押し上げ、予めバネ片２３の先端と電線導通部２６との間隔を広げておくことができる形状に形成されている。また、バネ片押し上げ部材１５は、バネ片２３の押し上げ状態において、このバネ片２３よりもコネクタ奥位置まで電線１２の単線導体１７の挿入を許容することができる形状に形成されている。さらに、バネ片押し上げ部材１５は、単線導体１７の先端で所定長さ分だけ前方に押し込まれると、バネ片２３の押し上げ状態の解除がなされる形状に形成されている。
【００３１】
バネ片押し上げ部材１５は、垂直壁と、この垂直壁の上端及び下端からそれぞれ後方にのびる水平壁とを有している。上記垂直壁は、単線導体１７の先端が当接する導体当接部２７として形成されている。また、上側の水平壁は、バネ片２３の押し上げ状態が解除されるまでの間、バネ片２３と単線導体１７との間に介在する介在部２８として形成されている。さらに、下側の水平壁は、バネ部材１３の下壁２０を摺動する摺接部２９として形成されている。摺接部２９の端面は、電線導通部材１４の前端面に当接するようになっている。摺接部２９は、介在部２８よりも短い長さで形成されている。介在部２８と摺接部２９との間には、単線導体１７が挿入されるようになっている。
【００３２】
バネ片押し上げ部材１５は、バネ部材１３及び電線導通部材１４と共にケース部材１６に収容されるようになっている。
【００３３】
ケース部材１６は、差込形電線コネクタ１１の外装となる樹脂部品であって、透明なケース本体３０と、このケース本体３０に嵌合するキャップ３１とを備えて構成されている（キャップ３１は、透明・非透明のいずれであってもよいものとする）。ケース本体３０は、この後部が開口するように形成されており、開口部分にキャップ３１が嵌合するようになっている。ケース本体３０の上壁及び下壁には、嵌合凹部３２が形成されている。また、キャップ３１には、嵌合突起３３が形成されている。これら嵌合凹部３２及び嵌合突起３３の引っ掛かり合いによって、ケース本体３０とキャップ３１とが嵌合するようになっている。嵌合突起３３は、キャップ３１の挿入筒部３４に形成されている。
【００３４】
ケース本体３０の内部は、段付き形状に形成されている。具体的には、上記開口部分から奥へ順に、キャップ嵌合部３５と、バネ部材収容部３６と、奥部空間３７とを有して段付き形状に形成されている。キャップ嵌合部３５は、キャップ３１の挿入筒部３４が挿入される部分として形成されている。バネ部材収容部３６は、バネ部材１３や電線導通部材１４を収容する部分として形成されている。奥部空間３７は、ケース本体３０の一番奥になる部分であって、バネ片押し上げ部材１５の押し込み移動量を規制する移動量規制部３８を有している。移動量規制部３８は、段差形状に形成されている。
【００３５】
キャップ３１には、電線１２の単線導体１７を挿通するための一対の円形挿通孔３９が形成されている。
【００３６】
次に、上記構成及び構造に基づきながら、差込形電線コネクタ１１の組み付けと、電線１２の挿入作業とについて説明する。
【００３７】
電線導通部材１４をバネ部材１３の下壁２０に載置するとともに、バネ片２３を撓ませてこれを押し上げるようにバネ片押し上げ部材１５をバネ部材１３に装着し、そして、これらをケース本体３０のバネ部材収容部３６に収容し、キャップ３１をケース本体３０に嵌合させると、図２に示すような状態で差込形電線コネクタ１１の組み付けが完了する。
【００３８】
図１（ａ）及び図４において、電線１２の挿入作業は、キャップ３１の円形挿通孔３９を介してコネクタ内部に電線１２の単線導体１７を挿入することにより開始される。電線１２は、この先端がバネ片押し上げ部材１５に当接するまでバネ片２３からの反力を受けることなく挿入される。電線１２の挿入を続けると、バネ片押し上げ部材１５は電線１２によって押し込まれ、この過程でバネ片２３の押し上げ状態が解除される。この時、バネ片２３は、例えばパチンという衝撃音をたてて単線導体１７に衝突する（作業者には電線１２の挿入が行われていることが聴覚的に分かる）。この後、単線導体１７は、バネ片２３からの反力を受けて電線導通部２６に押し付けられる。
【００３９】
図１（ｂ）及び図５において、電線１２によって押し込まれたバネ片押し上げ部材１５は、コネクタ内部の所定位置、すなわち移動量規制部３８の位置で止まる。これにより、電線１２の挿入作業が完了する。バネ片押し上げ部材１５は、電線１２によって移動量規制部３８に押さえつけられた状態で固定される。
【００４０】
図６（ａ）において、単線導体１７の先端がバネ片押し上げ部材１５（導体当接部２７）に当接するのは、単線導体１７がバネ片２３の先端よりもコネクタ奥位置まで挿入された時であることから、バネ片２３の先端よりも奥に挿入された長さＡの分だけ、バネ片２３からの反力を受けずに電線１２の挿入作業を行うことができる（図６（ｂ）の比較例に示すように、バネ片押し上げ部材１５が存在しない場合には、長さＢの範囲、すなわち単線導体１７の先端から反力を受けてしまう）。
【００４１】
以上、図１ないし図６を参照しながら説明してきたように、本発明の差込形電線コネクタ１１によれば、バネ片押し上げ部材１５を備えることから、電線挿入時のバネ片２３からの反力を受ける範囲を従来よりも長さＡの分だけ短くすることができるという効果を奏する。従って、作業性の向上を図ることができるという効果を奏する。また、バネ片押し上げ部材１５を備えることにより、挿入不具合の低減を図ることができるという効果も奏する。
【００４２】
また、本発明の差込形電線コネクタ１１によれば、電線１２の挿入作業中にパチンという衝撃音がすることから、電線１２の挿入が確実に行われていることを聴覚的に作業者に分からせることができるという効果を奏する。従って、挿入不具合の低減を図ることができるという効果を奏する。
【００４３】
さらに、本発明の差込形電線コネクタ１１によれば、ケース本体３０の移動量規制部３８によってバネ片押し上げ部材１５の押し込み移動量を規制することから、バネ片押し上げ部材１５が止まるまで押し込みをすれば、コネクタ内部の所定位置まで単線導体１７を挿入することができるという効果を奏する。従って、挿入不具合の低減を図ることができるという効果を奏する。
【００４４】
さらにまた、本発明の差込形電線コネクタ１１によれば、移動量規制部３８を有することから、単線導体１７と移動量規制部３８との間にバネ片押し上げ部材１５を挟み込んでこれを固定することができるという効果を奏する。従って、コネクタ内部でのバネ片押し上げ部材１５の位置を安定させることができるという効果を奏する。
【００４５】
さらにまた、本発明の差込形電線コネクタ１１によれば、ケース本体３０が透明であることから、電線１２の挿入状態等を視覚的に作業者に分からせることができるという効果を奏する。従って、挿入不具合の低減を図ることができるという効果を奏する。
【００４６】
本発明は本発明の主旨を変えない範囲で種々変更実施可能なことは勿論である。
【符号の説明】
【００４７】
１１…差込形電線コネクタ
１２…電線
１３…バネ部材
１４…電線導通部材
１５…バネ片押し上げ部材
１６…ケース部材
１７…単線導体（導体）
１８…被覆部
１９…上壁
２０…下壁
２１…前壁
２２…後壁
２３…バネ片
２４…円形挿通孔
２５…矩形貫通孔
２６…電線導通部
２７…導体当接部
２８…介在部
２９…摺接部
３０…ケース本体
３１…キャップ
３２…嵌合凹部
３３…嵌合突起
３４…挿入筒部
３５…キャップ嵌合部
３６…バネ部材収容部
３７…奥部空間
３８…移動量規制部
３９…円形挿通孔
【図１】
2010218792.tif 000003
【図２】
2010218792.tif 000004
【図３】
2010218792.tif 000005
【図４】
2010218792.tif 000006
【図５】
2010218792.tif 000007
【図６】
2010218792.tif 000008
【図７】
2010218792.tif 000009